(57)【要約】【課題】フラットデッキの焼き切れのおそれがなく、コンクリートからのフラットデッキの剥離防止効果が高く、しかも、コンクリートのノロ漏れのおそれがない、フラットデッキプレートの剥離防止金物を提供する。【解決手段】上部に角材が取り付けられた支持柱を介して、分割したフラットデッキプレートを梁型枠間に仮設し、前記梁型枠内および前記フラットデッキプレート上にコンクリートを打設して、コンクリート床を構築する際に、前記フラットデッキプレートの端部が接合される、フラットデッキプレートの剥離防止金物において、鋼製の接合板１と、接合板１上に固定される略コ字状の剥離防止部材２とからなり、接合板１は、前記角材上に固定され、前記フラットデッキプレートの端部は、接合板１に接合される。【選択図】図１
2017133290.tif 000002
【特許請求の範囲】
【請求項１】
上部に角材が取り付けられた支持柱を介して、分割したフラットデッキプレートを梁型枠間に仮設し、前記梁型枠内および前記フラットデッキプレート上にコンクリートを打設して、コンクリート床を構築する際に、前記フラットデッキプレートの端部が接合される、フラットデッキプレートの剥離防止金物において、
鋼製の接合板と、前記接合板上に固定された剥離防止部材とからなり、前記接合板は、前記角材上に固定され、前記フラットデッキプレートの端部は、前記接合板に接合されることを特徴とする、フラットデッキプレートの剥離防止金物。
【請求項２】
前記剥離防止部材は、前記接合板の長手方向に沿って所定間隔をあけて複数個、固定されていることを特徴とする、請求項１に記載の、フラットデッキプレートの剥離防止金物。
【請求項３】
前記剥離防止部材は、鉄筋または異形鉄筋を略コ字状に折り曲げたものからなることを特徴とする、請求項１または２に記載の、フラットデッキプレートの剥離防止金物。
【請求項４】
前記剥離防止部材は、鋼板を略コ字状に折り曲げたものからなることを特徴とする、請求項１または２に記載の、フラットデッキプレートの剥離防止金物。
【請求項５】
前記接合板は、前記角材に釘止めまたはねじ止めされることを特徴とする、請求項１から４の何れか１つに記載の、フラットデッキプレートの剥離防止金物。
【請求項６】
上部に角材が取り付けられた支持柱を介して、分割したフラットデッキプレートを梁型枠間に仮設し、前記梁型枠内および前記フラットデッキプレート上にコンクリートを打設して、コンクリート床を構築する、コンクリート床の構築方法において、
前記角材上に、鋼製の接合板と前記接合板上に固定された剥離防止部材とからなる剥離防止金物を固定し、前記フラットデッキプレートの端部を前記接合板に接合し、この後、コンクリートを打設することを特徴とする、コンクリート床の構築方法。
【発明の詳細な説明】
【技術分野】
【０００１】
この発明は、フラットデッキプレートの剥離防止金物およびコンクリート床の構築方法、特に、分割したフラットデッキプレート（床型枠用鋼製デッキプレート、以下、単に、フラットデッキという。）上にコンクリートを打設してコンクリート床（コンクリートスラブともいう。）を構築する際に、フラットデッキの端部を接合して、コンクリートからのフラットデッキの剥離を防止する剥離防止金物、および、それを用いたコンクリート床の構築方法に関するものである。
【背景技術】
【０００２】
例えば、図８に示すように、ＲＣ構造（鉄筋コンクリート構造、以下、ＲＣ構造という。）の場合には、比較的長いスパンの床を構築する際、フラットデッキの長さ上の制限から複数枚のフラットデッキ１２を連続的に並べ、そのフラットデッキ１２上にコンクリート１３を打設してコンクリート床１１を構築する。この際、梁型枠１４間に支持柱１５を介して、分割状態のフラットデッキ１２を仮設し、梁型枠１４内およびフラットデッキ１２上にコンクリート１３を打設している。
【０００３】
なお、フラットデッキの長さ上の制限とは、端部を閉塞する、いわゆるエンドクローズ加工等の製造設備上から自ずと決められるものである。
【０００４】
この際、フラットデッキ１２の端部は、支持柱１５の上部に取り付けられた角材１６（通称、端太材）上に釘止めされる。
【０００５】
フラットデッキ１２の端部上には、通し鉄筋１７が溶接され、コンクリート１３からのフラットデッキ１２の剥離を防止している。
【発明の概要】
【発明が解決しようとする課題】
【０００６】
上述したようにして、ＲＣ構造により、分割したフラットデッキ１２上にコンクリート１３を打設してコンクリート床１１が構築されるが、以下のような問題があった。
【０００７】
（１）通し鉄筋１７のフラットデッキ１２への溶接不良により、フラットデッキ１２が焼き切れるおそれがあった。
（２）通し鉄筋１７では、コンクリート１３からのフラットデッキ１２の剥離防止効果が不十分な場合があった。
（３）フラットデッキ１２同士は、角材１６上に突き合わされているのみであるので、コンクリート１３のノロ漏れが生じて、美観上、好ましくない。
【０００８】
従って、この発明の目的は、フラットデッキの焼き切れのおそれがなく、コンクリートからのフラットデッキの剥離防止効果が高く、しかも、コンクリートのノロ漏れのおそれがない、フラットデッキプレートの剥離防止金物を提供することにある。
【課題を解決するための手段】
【０００９】
この発明は、上記目的を達成するためになされたものであって、下記を特徴とする。
【００１０】
請求項１に記載の発明は、上部に角材が取り付けられた支持柱を介して、分割したフラットデッキプレートを梁型枠間に仮設し、前記梁型枠内および前記フラットデッキプレート上にコンクリートを打設して、コンクリート床を構築する際に、前記フラットデッキプレートの端部が接合される、フラットデッキプレートの剥離防止金物において、鋼製の接合板と、前記接合板上に固定された剥離防止部材とからなり、前記接合板は、前記角材上に固定され、前記フラットデッキプレートの端部は、前記接合板に接合されることに特徴を有するものである。
【００１１】
請求項２に記載の発明は、請求項１に記載の発明において、前記剥離防止部材は、前記接合板の長手方向に沿って所定間隔をあけて複数個、固定されていることに特徴を有するものである。
【００１２】
請求項３に記載の発明は、請求項１または２に記載の発明において、前記剥離防止部材は、鉄筋または異形鉄筋を略コ字状に折り曲げたものからなることに特徴を有するものである。
【００１３】
請求項４に記載の発明は、請求項１または２に記載の発明において、前記剥離防止部材は、鋼板を略コ字状に折り曲げたものからなることに特徴を有するものである。
【００１４】
請求項５に記載の発明は、請求項１から４の何れか１つに記載の発明において、前記接合板は、前記角材に釘止めまたはねじ止めされることに特徴を有するものである。
【００１５】
請求項６に記載の発明は、上部に角材が取り付けられた支持柱を介して、分割したフラットデッキプレートを梁型枠間に仮設し、前記梁型枠内および前記フラットデッキプレート上にコンクリートを打設して、コンクリート床を構築する、コンクリート床の構築方法において、前記角材上に、鋼製の接合板と前記接合板上に固定された剥離防止部材とからなる剥離防止金物を固定し、前記フラットデッキプレートの端部を前記接合板に接合し、この後、コンクリートを打設することに特徴を有するものである。
【発明の効果】
【００１６】
この発明によれば、フラットデッキに通し鉄筋を溶接する必要がないので、フラットデッキの焼き切れの問題は生じない。
【００１７】
また、この発明によれば、略コ字状に折り曲げた剥離防止部材によって、コンクリートからのフラットデッキの高い剥離防止効果が得られる。
【００１８】
また、この発明によれば、フラットデッキの端部は、接合板に接合されるので、コンクリートのノロ漏れの問題は生じない。
【図面の簡単な説明】
【００１９】
【図１】この発明の剥離防止金物を示す斜視図である。
【図２】剥離防止部材を示す斜視図である。
【図３】この発明の剥離防止金物を使用して、分割したフラットデッキ上にコンクリートを打設した状態を示す断面図である。
【図４】図３の部分拡大図である。
【図５】別の剥離防止部材を示す斜視図である。
【図６】さらに別の剥離防止部材を示す斜視図である。
【図７】さらに別の剥離防止部材を示す斜視図である。
【図８】従来法により、分割したフラットデッキ上にコンクリートを打設した状態を示す断面図である。
【発明を実施するための形態】
【００２０】
この発明の、フラットデッキプレートの剥離防止金物の一実施態様を、図面を参照しながら説明する。
【００２１】
図１は、この発明の剥離防止金物を示す斜視図、図２は、剥離防止部材を示す斜視図である。
【００２２】
図１に示すように、この発明の剥離防止金物は、接合板１と剥離防止部材２とからなっている。
【００２３】
接合板１は、鋼製で長方形状をなし、幅方向の両側には、接合板１の長手方向に沿って間隔をあけて複数個の釘またはねじ止め用の孔３が形成されている。
【００２４】
なお、接合板１は、長さが２０００ｍｍ、幅が１００ｍｍ、厚さが２．３ｍｍで、孔３のピッチ間隔は、２００ｍｍ程度である。
【００２５】
剥離防止部材２は、異形鉄筋を略コ字状に折り曲げたもの（例えば、水平部の長さは、１００ｍｍ、高さは、３０ｍｍ）からなり、接合板１上に、接合板１の長手方向に沿って所定間隔（例えば、２００ｍ）をあけて複数個、溶接等により固定されている。
【００２６】
剥離防止部材２を略コ字状に形成することによって、コンクリート８からのフラットデッキ５の高い剥離防止効果が得られるとともに（図３、図４参照）、剥離防止部材２が取手の役目をするので、剥離防止金物の現場への運搬が容易に行える。
【００２７】
図５に示すように、剥離防止部材２は、鋼板を略コ字状に折り曲げ、端部を外側に折り曲げたものであってもよい。また、図６に示すように、端部を内側に折り曲げたものであってもよい。これらの剥離防止部材２は、接合板１に溶接またはボルト止め等により固定する。
【００２８】
なお、剥離防止部材２の形状は、略コ字状に限定されるものではなく、別の態様としては、図７に示すように、略半円形リング状、逆Ｌ字状、鉤状、フック状等であってもよい。
【００２９】
上述のように構成されている、この発明の剥離防止金物によれば、以下のようにして、コンクリート床が構築される。
【００３０】
先ず、分割されたフラットデッキ５の接合部分に、上部に角材６が取り付けられた支持柱４を設置する（図３、図４参照）。次いで、支持柱４の上部の角材６に剥離防止金物の接合板１を、例えば、釘止めする。次いで、接合板１上にフラットデッキ５の端部を乗せ、接合板１に溶接により接合する。
【００３１】
このようにして、梁型枠１４（図８参照）間にフラットデッキ５を仮設したら、フラットデッキ５上にコンクリートスラブ用の鉄筋７を配筋する。この際、剥離防止部材２は、鉄筋７をフラットデッキ５に対して所定高さに保持する治具としてのスペーサーの機能も兼ねているので、鉄筋７の配筋が容易かつ短時間に行える。そして、梁型枠１４内およびフラットデッキ５上にコンクリート８を打設する。この際、フラットデッキ５の端部は、接合板１に溶接され、密着しているので、コンクリート８のノロ漏れの問題は生じない。
【００３２】
このようにして、コンクリート床が構築される。
【００３３】
以上説明したように、この発明によれば、フラットデッキ５に通し鉄筋１７を溶接する必要がないので、フラットデッキ５の焼き切れの問題は生じない。
【００３４】
また、この発明によれば、略コ字状に折り曲げた剥離防止部材２によって、コンクリート８からのフラットデッキ５の高い剥離防止効果が得られるとともに、剥離防止部材２が取手の役目をするので、剥離防止金物の運搬が容易に行える。
【００３５】
また、この発明によれば、フラットデッキ５の端部は、接合板１に溶接により接合されるので、コンクリート８のノロ漏れの問題は生じない。
【符号の説明】
【００３６】
１：接合板
２：剥離防止部材
３：孔
４：支持柱
５：フラットデッキ
６：角材
７：鉄筋
８：コンクリート
９：コンクリート床
１１：コンクリート床
１２：フラットデッキ
１３：コンクリート
１４：梁型枠
１５：支持柱
１６：角材
１７：通し鉄筋
【図１】
2017133290.tif 000003
【図２】
2017133290.tif 000004
【図３】
2017133290.tif 000005
【図４】
2017133290.tif 000006
【図５】
2017133290.tif 000007
【図６】
2017133290.tif 000008
【図７】
2017133290.tif 000009
【図８】
2017133290.tif 000010